(57)【要約】  配電管理装置（１０）は、配電系統からの配電を受ける需要家の負荷設備に接続されたスマートメータ（５０）から計量結果を取得する。さらに、配電管理装置（１０）は、スマートメータ（５０）の計量結果を用いて、配電系統の設備のうち需要家の負荷設備から配電系統の設備の方向へ電気が流れる設備と配電系統の設備から需要家の負荷設備の方向へ電気が流れる設備との間で表示態様を区別してクライアント端末（３０）に表示させる。
2014054110.tif 000002
【特許請求の範囲】
【請求項１】
配電系統からの配電を受ける需要家の負荷設備に接続された計量器から計量結果を取得する取得部と、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる表示制御部と
を有することを特徴とする配電管理装置。
【請求項２】
前記計量器の計量結果を用いて、各々の設備が接続される接続点の電圧を算出する算出部をさらに有し、
前記表示制御部は、各接続点の電圧の状態に応じて、前記負荷設備の表示態様または前記配電系統の設備の表示態様を区別して表示させることを特徴とする請求項１に記載の配電管理装置。
【請求項３】
前記表示制御部は、所定の許容範囲を逸脱する電圧が算出された接続点を持つ設備の表示態様を、前記許容範囲を逸脱しない設備の表示態様との間で区別して表示させることを特徴とする請求項２に記載の配電管理装置。
【請求項４】
前記表示制御部は、前記許容範囲内の電圧が算出された接続点を持つ設備のうち前記負荷設備から前記配電系統の設備の方向へ電気が流れる設備の警告を促す表示を実行することを特徴とする請求項３に記載の配電管理装置。
【請求項５】
前記計量器の計量結果を用いて、異常が発生している設備を検出する検出部をさらに有し、
前記表示制御部は、異常が検出された設備と異常が検出されていない設備との間で表示態様を区別して表示させることを特徴とする請求項１に記載の配電管理装置。
【請求項６】
前記表示制御部は、前記配電系統の設備または前記負荷設備と位置とが対応付けられた位置情報を参照して、前記配電系統の設備および前記負荷設備を前記配電系統の設備または前記負荷設備に対応する地図上の位置に表示させることを特徴とする請求項１に記載の配電管理装置。
【請求項７】
コンピュータが、
配電系統からの配電を受ける需要家の負荷設備に接続された計量器から計量結果を取得し、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる
処理を実行することを特徴とする表示制御方法。
【請求項８】
前記コンピュータが、
前記計量器の計量結果を用いて、各々の設備が接続される接続点の電圧を算出する処理をさらに実行し、
前記表示態様を区別して表示させる処理として、
各接続点の電圧の状態に応じて、前記負荷設備の表示態様または前記配電系統の設備の表示態様を区別して表示させることを特徴とする請求項７に記載の表示制御方法。
【請求項９】
前記表示態様を区別して表示させる処理として、
所定の許容範囲を逸脱する電圧が算出された接続点を持つ設備の表示態様を、前記許容範囲を逸脱しない設備の表示態様との間で区別して表示させることを特徴とする請求項８に記載の表示制御方法。
【請求項１０】
前記表示態様を区別して表示させる処理として、
前記許容範囲内の電圧が算出された接続点を持つ設備のうち前記負荷設備から前記配電系統の設備の方向へ電気が流れる設備の警告を促す表示を実行することを特徴とする請求項９に記載の表示制御方法。
【請求項１１】
前記コンピュータが、
前記計量器の計量結果を用いて、異常が発生している設備を検出する処理をさらに実行し、
前記表示態様を区別して表示させる処理として、
異常が検出された設備と異常が検出されていない設備との間で表示態様を区別して表示させることを特徴とする請求項７に記載の表示制御方法。
【請求項１２】
前記表示態様を区別して表示させる処理として、
前記配電系統の設備または前記負荷設備と位置とが対応付けられた位置情報を参照して、前記配電系統の設備および前記負荷設備を前記配電系統の設備または前記負荷設備に対応する地図上の位置に表示させることを特徴とする請求項７に記載の表示制御方法。
【請求項１３】
コンピュータが、
配電系統からの配電を受ける需要家の負荷設備に接続された計量器から計量結果を取得し、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる
処理を実行させることを特徴とする表示制御プログラム。
【請求項１４】
前記コンピュータに、
前記計量器の計量結果を用いて、各々の設備が接続される接続点の電圧を算出する処理をさらに実行させ、
前記表示態様を区別して表示させる処理として、
各接続点の電圧の状態に応じて、前記負荷設備の表示態様または前記配電系統の設備の表示態様を区別して表示させることを特徴とする請求項１３に記載の表示制御プログラム。
【請求項１５】
前記コンピュータに、
前記計量器の計量結果を用いて、異常が発生している設備を検出する処理をさらに実行させ、
前記表示態様を区別して表示させる処理として、
異常が検出された設備と異常が検出されていない設備との間で表示態様を区別して表示させることを特徴とする請求項１３に記載の表示制御プログラム。
【発明の詳細な説明】
【技術分野】
【０００１】
本発明は、配電管理装置、表示制御方法及び表示制御プログラムに関する。
【背景技術】
【０００２】
配電系統には、高圧電力の配電に用いられる高圧線と、低圧電力の配電に用いられる低圧線とが含まれる。これら高圧線及び低圧線には、標準電圧と、標準電圧からの逸脱が許容される許容範囲とが定められている。このため、変電所から負荷設備までの配電系統を高圧線や開閉器などの設備が含まれる高圧系統と低圧線や引込線などの設備が含まれる低圧系統に分けて電圧降下の計算が実行される。その上で、電圧降下が起こる前後の電圧が高圧系統および低圧系統で許容範囲に収まるように、変電所から配電される電力の電圧を設定したり、高圧系統に配置された開閉器の切り替えによって配電系統を流れる電力の電圧が調整される。
【先行技術文献】
【特許文献】
【０００３】
【特許文献１】特開平１０−１８７８２７号公報
【特許文献２】特開２００８−１１８７９９号公報
【特許文献３】特公昭６１−１７２２１号公報
【発明の概要】
【発明が解決しようとする課題】
【０００４】
しかしながら、上記の技術では、分散型電源等による逆潮流が想定されていないので、配電系統で電圧の許容範囲を超える電力が流れるのを防止できない場合がある。【０００５】
すなわち、太陽光発電等の分散型電源の普及に伴って需要家に分散型電源が設置される場合がある。この場合には、需要家に設置された分散型電源から電気事業者の配電系統へ逆潮流が発生する場合がある。このように、変電所および負荷設備の間で電力が双方向へ流れる場合には、逆潮流によって低圧系統に含まれる各設備での電力の変動が大きくなる場合がある。例えば、逆潮流が発生している時点では電圧が許容範囲に収まっているとしても、逆潮流が発生しなくなった場合には、負荷設備が配電を受けて電力を使用するので、配電系統で許容範囲を超えて電圧が低下してしまう場合もある。【０００６】
１つの側面では、配電系統で電圧の許容範囲を超える電力が流れるのを抑制できる配電管理装置、表示制御方法及び表示制御プログラムを提供することを目的とする。
【課題を解決するための手段】
【０００７】
一態様の配電管理装置は、配電系統からの配電を受ける需要家の負荷設備に接続された計量器から計量結果などのデータを取得する取得部と、前記計量器の前記データを用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる表示制御部とを有する。
【発明の効果】
【０００８】
一実施形態によれば、配電系統で電圧の許容範囲を超える電力が流れるのを抑制につなげることができる。
【図面の簡単な説明】
【０００９】
【図１】図１は、実施例１に係る配電管理装置の機能的構成を示すブロック図である。
【図２】図２は、エンティティの一態様を示す図である。
【図３】図３は、エンティティの相互関係の一例を示す図である。
【図４】図４は、ロケーションテーブルの一例を示す図である。
【図５】図５は、ユニットテーブルの一例を示す図である。
【図６】図６は、スパンテーブルの一例を示す図である。
【図７】図７は、ノードテーブルの一例を示す図である。
【図８】図８は、ブランチテーブルの一例を示す図である。
【図９】図９は、カレントノードテーブルの一例を示す図である。
【図１０】図１０は、カレントブランチテーブルの一例を示す図である。
【図１１】図１１は、配電系統のグラフ構造の一例を示す図（１）である。
【図１２】図１２は、配電系統のグラフ構造の一例を示す図（２）である。
【図１３】図１３は、ロードテーブルの一例を示す図である。
【図１４】図１４は、カレントノードテーブルの一例を示す図である。
【図１５】図１５は、カレントブランチテーブルの一例を示す図である。
【図１６】図１６は、現系統のグラフ構造の一例を示す図である。
【図１７】図１７は、現系統のグラフ構造の一例を示す図である。
【図１８】図１８は、現系統のグラフ構造の一例を示す図である。
【図１９】図１９は、現系統のグラフ構造の一例を示す図である。
【図２０】図２０は、表示設定の受付画面の一例を示す図である。
【図２１】図２１は、配電系統画面の一例を示す図である。
【図２２】図２２は、配電系統画面の一例を示す図である。
【図２３】図２３は、実施例１に係る配電管理処理の手順を示すフローチャート（１）である。
【図２４】図２４は、実施例１に係る配電管理処理の手順を示すフローチャート（２）である。
【図２５】図２５は、実施例１に係る配電管理処理の手順を示すフローチャート（３）である。
【図２６】図２６は、実施例１に係る配電系統画面の表示制御処理の手順を示すフローチャートである。
【図２７】図２７は、実施例１及び実施例２に係る表示制御プログラムを実行するコンピュータの一例について説明するための図である。
【発明を実施するための形態】
【００１０】
以下に添付図面を参照して本願に係る配電管理装置、表示制御方法及び表示制御プログラムについて説明する。なお、この実施例は開示の技術を限定するものではない。そして、各実施例は、処理内容を矛盾させない範囲で適宜組み合わせることが可能である。
【実施例１】
【００１１】
［配電管理装置の構成］
図１は、実施例１に係る配電管理装置の機能的構成を示すブロック図である。図１に示す配電管理装置１０は、電気事業者の変電所および需要家の負荷設備の間の配電系統に含まれる設備の電気的な状態、例えば電気の流れの向き、電圧や異常箇所などを表示させる表示制御処理を実行するものである。【００１２】
かかる配電管理装置１０の一態様としては、上記の表示制御処理を実行するＷｅｂサーバとして実装することとしてもよいし、また、上記の表示制御処理に関するサービスをアウトソーシングにより提供するクラウドとして実装することもできる。他の一態様としては、パッケージソフトウェアやオンラインソフトウェアとして提供される表示制御プログラムを所望のコンピュータにプリインストール又はインストールさせることによっても実装できる。【００１３】
図１に示すように、配電管理装置１０は、所定のネットワークを介して、クライアント端末３０やスマートメータ５０などの他の装置との間で通信可能に接続される。かかるネットワークには、有線または無線を問わず、インターネット（Internet）、ＬＡＮ（Local  Area  Network）やＶＰＮ（Virtual  Private  Network）などの任意の種類の通信網を採用できる。なお、上記のクライアント端末３０及びスマートメータ５０は、それぞれ任意の台数接続することができる。【００１４】
このうち、クライアント端末３０は、上記の表示制御サービスの提供を受ける側の端末装置である。かかるクライアント端末３０の一例としては、パーソナルコンピュータ（ＰＣ：personal  computer）を始めとする固定端末の他、携帯電話機、ＰＨＳ（Personal  Handyphone  System）やＰＤＡ（Personal  Digital  Assistant）などの移動体端末も採用できる。なお、クライアント端末３０は、電気事業者の所属員、例えば配電部門の担当者や管理者等によって利用される。【００１５】
スマートメータ５０は、通信機能付きの電力の計量器である。かかるスマートメータ５０は、需要家の分電盤等に接続される。一態様としては、スマートメータ５０は、一定期間、例えば３０分間ごとに需要家の負荷設備が使用する電力を計量する。このとき、スマートメータ５０は、負荷設備によって使用された電力を累積して計量する。以下では、累積して計量された負荷設備の電力使用値のことを「電力使用量」と記載する場合がある。その上で、スマートメータ５０は、電力使用量を配電管理装置１０へ送信する。なお、ここでは、スマートメータが電力使用量を一定期間ごとにアップロードする例を説明したが、電力使用量を間欠的にアップロードすることもできる。また、スマートメータ５０は、電力使用量を能動的にアップロードするのではなく、配電管理装置１０からのリクエストに応答して電力使用量をアップロードすることもできる。【００１６】
図１に示すように、配電管理装置１０は、通信Ｉ／Ｆ（interface）部１１と、記憶部１３と、制御部１９とを有する。なお、配電管理装置１０は、図１に示した機能部以外にも既知のコンピュータが有する各種の機能部、例えば各種の入出力デバイスや撮像デバイスなどの機能部を有することとしてもかまわない。【００１７】
通信Ｉ／Ｆ部１１は、他の装置、例えばクライアント端末３０やスマートメータ５０との間で通信制御を行うインタフェースである。かかる通信Ｉ／Ｆ部１１の一態様としては、ＬＡＮカードなどのネットワークインタフェースカードを採用できる。例えば、通信Ｉ／Ｆ部１１は、クライアント端末３０から各種情報、例えば配電系統画面の閲覧要求を受信したり、あるいは配電管理装置１０から配電系統画面の表示データをクライアント端末３０へ通知したりする。【００１８】
記憶部１３は、制御部１９で実行されるＯＳ（Operating  System）や表示制御プログラムなどの各種プログラムを記憶する記憶デバイスである。記憶部１３の一態様としては、フラッシュメモリなどの半導体メモリ素子、ハードディスク、光ディスクなどの記憶装置が挙げられる。なお、記憶部１３は、上記の種類の記憶装置に限定されるものではなく、ＲＡＭ（Random  Access  Memory)、ＲＯＭ（Read  Only  Memory)であってもよい。【００１９】
記憶部１３は、制御部１９で実行されるプログラムに用いられるデータの一例として、位置情報１４と、設備情報１５と、電気接続情報１６と、配電系統情報１７と、負荷情報１８とを記憶する。なお、上記に例示した情報以外にも、他の電子データ、例えば電気事業者が管轄する配電系統が収まった地図情報なども併せて記憶することもできる。【００２０】
ここで、本実施例に係る配電管理装置１０では、設備が設置される位置を管理する位置の管理と、各々の設備を管理する設備の管理と、互いが電気的に接続される設備を管理する電気接続の管理との３つに分けて配電系統が管理される。【００２１】
このうち、位置の管理には、配電系統を形成する設備のうち所定の設備、例えば変電所、電柱、変圧器などが設置される位置「ロケーション（location）」がエンティティとして用いられる。また、設備の管理には、配電系統を形成する設備のうち１つの位置に紐付く設備「ユニット（unit）」と、２つの位置に紐付く設備「スパン（span）」とがエンティティとして用いられる。また、電気接続の管理には、互いの設備が電気的に接続される接続点「ノード（node）」と、複数の接続点によって定まる設備「ブランチ（branch）」とがエンティティとして用いられる。【００２２】
図２は、エンティティの一態様を示す図である。図２に示すように、ロケーションの一例としては、例えば、電柱Ｐや柱上変圧器ＴＲなどのように設置形態が架設ではない非架設の設備が設置される位置が挙げられる。この他、図示されていない配電用変電所（ＳＳ：SubStation）が設置される位置や変圧器が設置される位置もロケーションの範疇に含まれる。なお、ここでは、地上に設置される設備を例示したが、地下に設置される設備、例えばマンホールやハンドホールが設置される位置などもロケーションの範疇に含まれる。【００２３】
ユニットの一例としては、電柱Ｐ、開閉器ＳＷ、柱上変圧器ＴＲなどが挙げられる。この他、図示されていない配電用変電所、ＳＶＲ（Step  Voltage  Regulator）や各種の計器、例えばスマートメータ５０、さらには、地中の設備であるマンホールやハンドホールなどもユニットの範疇に含まれる。【００２４】
スパンの一例としては、配電用変電所および柱上変圧器ＴＲの間で高圧電力が配電される高圧系統に敷設される電線ＷＨ、いわゆる「高圧線」が挙げられる。スパンの他の一例としては、柱上変圧器ＴＲおよび需要家の負荷設備の間で低圧電力が配電される低圧系統のうち柱上変圧器ＴＲ及び引込線の区間に敷設される電線ＷＬ、いわゆる「低圧線」の他、引込線および負荷設備の区間に敷設される電線、いわゆる「引込線」などが挙げられる。スパンの更なる一例としては、地中に埋め込まれたケーブルが挙げられる。なお、高圧線ＷＨ及び低圧線ＷＬなどの電線Ｗについては、電柱Ｐに架設される単位の本数、例えば３本や２本を１つにまとめてスパンとして扱うことができる。【００２５】
ノードの一例としては、図２中の拡大図２１に示す高圧線ＷＨと開閉器ＳＷとの接続点、高圧線ＷＨと柱上変圧器ＴＲとの接続点、柱上変圧器ＴＲと低圧線ＷＬとの接続点が挙げられる。この他、図２中の拡大図２２に示す高圧線ＷＨ２１ａと高圧線ＷＨ２１ｂとが接続される点もノードの範疇に含まれる。具体的には、高圧線ＷＨ２１ａ及び高圧線ＷＨ２１ｂが通り装柱の電柱Ｐに架設されている場合にも、高圧線ＷＨ２１ａ及び高圧線ＷＨ２１ｂ間が電気的に接続されているものとみなし、高圧線ＷＨ同士が接続される点を仮想的なノードとして扱われる。【００２６】
ブランチの一例としては、図２に示す電柱Ｐ、高圧線ＷＨ、開閉器ＳＷ、柱上変圧器ＴＲ、低圧線ＷＬなどの各種の設備が挙げられる。この他、図示されていない配電用変電所、引込線、スマートメータ５０や負荷設備などもブランチの範疇に含まれる。これら配電用変電所や負荷設備などの端点に位置する設備は、１つしかノードを持たない場合がある。【００２７】
これらロケーション、ユニット、スパン、ノード及びブランチなどのエンティティは、図３に示す関連性を有する。図３は、エンティティの相互関係の一例を示す図である。図３に示すように、ユニット及びスパンは、ロケーションとの間で互いに共通して位置が管理される点が関連する。また、ユニットおよびスパンは、ブランチとの間で互いに共通して設備が管理される点が関連する。さらに、ノードは、ロケーション及びブランチとの間で互いに共通して接続点が管理される点が関連する。【００２８】
図１の説明に戻り、位置情報１４には、上記のロケーションを管理するロケーションテーブル１４ａが含まれる。また、設備情報１５には、上記のユニットを管理するユニットテーブル１５ａと、上記のスパンを管理するスパンテーブル１５ｂとが含まれる。さらに、電気接続情報１６には、上記のノードを管理するノードテーブル１６ａと、上記のブランチを管理するブランチテーブル１６ｂとが含まれる。また、後述するように、配電系統情報１７には、カレントノードテーブル１７ａと、カレントブランチテーブル１７ｂとが含まれる。【００２９】
このうち、ロケーションテーブル１４ａの一態様としては、位置ＩＤ（identifier）、位置識別、経度および緯度などの項目が対応付けられたテーブルを採用できる。かかる「位置ＩＤ」とは、設備が設置された位置を識別する識別情報を指す。また、「位置識別」とは、位置の種類の識別を指し、例えば、配電用変電所（ＳＳ）、電柱（ＰＯＬＥ）や負荷設備（ＬＯＡＤＬ）などの種類が挙げられる。なお、ロケーションテーブル１４ａに記憶される情報は、例えば、他の既存のシステム、例えば配電系統の設備を管理する配電設備管理システムから変電所、電柱、変圧器などの特定の設備の位置情報を取得することができる。【００３０】
図４は、ロケーションテーブル１４ａの一例を示す図である。例えば、図４に示す位置ＩＤ「SS0001」のロケーションは、東経１２８度０８分４８秒６６及び北緯５０度２７分２３秒０１６に位置し、配電用変電所があることを意味する。また、図４以降に図示する各種のＩＤは、例えば、配電用変電所を表す「ＳＳ」、電柱を表す「ＰＯ」や負荷設備「ＬＬ」などの設備の種別を識別可能な文字列をＩＤを構成する文字列の頭に付加して採番がなされる。この各種ＩＤは、設備の種別を識別可能な文字列を、ＩＤを構成する文字列の頭に付加して採番するに限らず、一意に認識できる値を付与して良い。なお、ここでは、設備の位置を特定する項目として経度および緯度を用いる場合を例示したが、他の項目、例えばローカルな座標値、住所などを用いることもできる。【００３１】
ユニットテーブル１５ａの一態様としては、設備ＩＤ、位置ＩＤ、種別及び属性情報などの項目が対応付けられたテーブルを採用できる。かかる「設備ＩＤ」とは、設備を識別する識別情報を指し、ユニットテーブル１５ａではユニットの設備ＩＤだけが格納される。また、「種別」とは、ユニットの種別を指し、例えば電柱（ＰＯＬＥ）、開閉器（ＳＷ）、柱上変圧器（ＢＡＮＫ）や負荷設備（ＬＯＡＤＬ）などの種類が挙げられる。また、「属性情報」とは、ユニットの属性に関する情報を指し、例えば、ユニットの型番や性能、例えばユニットが変圧器である場合には変圧器の容量や電圧比が登録される。かかる変圧器の容量は、現系統の設備の電気的な接続情報が抽出された際に電圧降下の計算に用いることができる。例えば、ユニットが変圧器である場合には、抵抗値、リアクタンス値や変圧器の電圧比が登録される。なお、ユニットテーブル１５ａに記憶される情報は、例えば、他の既存のシステム、例えば配電設備管理システムから取得され、取得された設備の属性情報うちユニットに分類された設備の属性情報が登録される。【００３２】
図５は、ユニットテーブル１５ａの一例を示す図である。例えば、図５に示す設備ＩＤ「PO0001P1」のユニットは、位置ＩＤ「PO0001」に対応する位置、すなわち図４に示した東経１２８度０８分４１秒７６及び北緯５０度２７分２３秒０２１に位置し、電柱であることを意味する。また、図５に示す設備ＩＤ「PO000101」のユニットは、位置ＩＤ「PO0001」に対応する位置、すなわち図４に示した東経１２８度０８分４１秒７６及び北緯５０度２７分２３秒０２１に位置し、開閉器であることを意味する。また、図５に示す設備ＩＤ「PO000701」のユニットは、位置ＩＤ「PO0007」に対応する位置、すなわち図４に示した東経１２８度０８分３４秒３０及び北緯５０度２７分２７秒８４４に位置し、電圧比１を持つ柱上変圧器であることを意味する。【００３３】
スパンテーブル１５ｂの一態様としては、設備ＩＤ、位置ＩＤ１、位置ＩＤ２、種別および属性情報などの項目が対応付けられたテーブルを採用できる。ここで言う「設備ＩＤ」も、設備を識別する識別情報を指すが、スパンテーブル１５ｂにはスパンの設備ＩＤだけが格納される。また、「位置ＩＤ１」とは、スパンに紐付く２つの位置ＩＤのうち一方の位置ＩＤを指し、「位置ＩＤ２」とは、スパンに紐付く２つの位置ＩＤのうち他方の位置ＩＤを指す。また、「種別」とは、スパンの種別を指し、例えば、高圧線、低圧線及び引込線などの種類が挙げられる。また、「属性情報」は、スパンの属性に関する情報を指し、例えば、スパンの型番、太さ、材質、径間、単位（ｍ）当たりの抵抗値や単位（ｍ）当たりのリアクタンス値などが登録される。かかる径間、単位当たりの抵抗値や単位当たりのリアクタンス値は、現系統の設備の電気的な接続情報が抽出された際に電圧降下の計算に用いることができる。なお、スパンテーブル１５ｂに記憶される情報は、例えば、他の既存のシステム、例えば配電設備管理システムから取得され、取得された設備の属性情報うちスパンに分類された設備の属性情報が登録される。【００３４】
図６は、スパンテーブル１５ｂの一例を示す図である。例えば、図６に示す設備ＩＤ「SP0001」のスパンは、位置ＩＤ１「SS0001」に対応する位置および位置ＩＤ２「PO0001」に対応する位置の区間に架設された３相の高圧線であることを意味する。かかる区間は、図４を用いて説明したように、東経１２８度０８分４８秒６６及び北緯５０度２７分２３秒０１６から東経１２８度０８分４１秒７６及び北緯５０度２７分２３秒０２１の区間に相当する。さらに、設備ＩＤ「SP0001」のスパンの径間、抵抗及びリアクタンスは、それぞれ「２１ｍ」、「２２０Ω／ｍ」、「１５０Ω／ｍ」であることを意味する。なお、図６に示す種別が３Ｈである場合には、スパンが単相３線の高圧線であることを意味し、種別が３Ｌである場合には、スパンが単相３線の低圧線であることを意味し、また、種別がブランクである場合には、スパンが引込線であることを意味する。【００３５】
ノードテーブル１６ａの一態様としては、ノードＩＤ及び位置ＩＤなどの項目が対応付けられたテーブルを採用できる。かかる「ノードＩＤ」は、ノードを識別する識別情報を指す。なお、ノードテーブル１６ａに記憶される情報は、既存の他のシステム、例えば配電設備管理システムおよび配電系統の監視や開閉器の遠隔操作を行う配電自動化システムから取得される。例えば、配電設備管理システムから取得された低圧系統の設備の情報または配電自動化システムから取得された高圧系統の設備の情報からノードが抽出された後にノードの所在位置と対応付けてノードテーブル１６ａに登録される。【００３６】
図７は、ノードテーブル１６ａの一例を示す図である。例えば、図７に示すノードＩＤ「SS0001N01」の接続点は、位置ＩＤ「SS0001」に対応する位置、すなわち図４に示した東経１２８度０８分４８秒６６及び北緯５０度２７分２３秒０１６に位置することを意味する。また、図７に示すノードＩＤ「PO0001N01」及び「PO0001N02」の接続点は、いずれも位置ＩＤ「PO0001」に対応する同一の位置、すなわち図４に示した東経１２８度０８分４１秒７６及び北緯５０度２７分２３秒０２１に位置することを意味する。【００３７】
ブランチテーブル１６ｂの一態様としては、ブランチＩＤ、ノードＩＤ１、ノードＩＤ２、設備ＩＤおよび開閉区分などの項目が対応付けられたテーブルを採用できる。かかる「ブランチＩＤ」とは、ブランチを識別する識別情報を指す。また、「ノードＩＤ１」とは、ブランチが持つ２つのノードＩＤのうち一方のノードＩＤを指し、「ノードＩＤ２」とは、ブランチが持つ２つのノードＩＤのうち他方のノードＩＤを指す。ただし、配電用変電所や負荷設備などの端点に位置するブランチは、ノードＩＤ１またはノードＩＤ２のいずれかにしかノードＩＤを持たない場合がある。例えば、ノードＩＤ１及びノードＩＤ２のうちノードＩＤ１には、ノードＩＤ２よりも一次側、すなわち変電所寄りの接続点のノードＩＤが登録されるとともに、ノードＩＤ２には、ノードＩＤ１よりも二次側、すなわち負荷設備寄りの接続点のノードＩＤが登録される。また、ここで言う「設備ＩＤ」も、設備を識別する識別情報を指すが、ブランチテーブル１６ｂにはユニットまたはスパンのいずれかの設備ＩＤが格納される。また、「開閉区分」は、開閉器のスイッチの開閉状態を指す。かかる開閉区分には、ブランチが開閉器である場合には「開状態」または「閉状態」のいずれかが設定されるが、ブランチが開閉器以外である場合には「ブランク」とされる。【００３８】
なお、ブランチテーブル１６ｂに記憶される情報は、既存の他のシステム、例えば配電設備管理システムおよび配電自動化システムから取得される。例えば、配電設備管理システムから取得された低圧系統の設備の情報または配電自動化システムから取得された高圧系統の設備の情報からブランチが抽出された後にブランチが持つノードと対応付けてブランチテーブル１６ｂに登録される。【００３９】
図８は、ブランチテーブル１６ｂの一例を示す図である。例えば、図８に示すブランチＩＤ「BR0001」のブランチは、ノードＩＤ１「SS0001N01」およびノードＩＤ２「PO0001N01」によって定義される設備ＩＤ「SP0001」の高圧線であることを意味する。また、図８に示すブランチＩＤ「BR0002」のブランチは、ノードＩＤ１「PO0001N01」およびノードＩＤ２「PO0001N02」によって定義される設備ＩＤ「PO000101」の開閉器であり、かつ開閉区分が「１」なので、開閉器が閉状態であることを意味する。なお、図８に示す開閉区分が「０」である場合には、開閉器が開状態であることを意味し、また、開閉区分がブランクである場合には、設備が開閉器ではないことを意味する。開閉器の閉状態とは、電気を流す状態であり、開状態は電気を流さない状態である。【００４０】
なお、記憶部１３に記憶される情報のうち上記の位置情報１４、設備情報１５及び電気接続情報１６以外の配電系統情報１７および負荷情報１８については、これらの情報を生成、取得、あるいは使用する機能部の説明に合わせて後述する。【００４１】
制御部１９は、各種の処理手順を規定したプログラムや制御データを格納するための内部メモリを有し、これらによって種々の処理を実行する。制御部１９は、図１に示すように、検索部１９ａと、対応付け部１９ｂと、取得部１９ｃと、算出部１９ｄと、検出部１９ｅと、表示制御部１９ｆとを有する。【００４２】
検索部１９ａは、電気接続情報１６を参照して、所定のノードを起点とし、ノードの組合せに含まれるノードのうち未探索のノードを探索しながら当該組合せに対応するブランチを検索する処理部である。【００４３】
一態様としては、検索部１９ａは、クライアント端末３０を介して配電系統情報の閲覧要求を受け付けた場合や前回に処理が実行されてから一定期間が経過した場合に、処理を起動する。まず、検索部１９ａは、ロケーションテーブル１４ａに記憶された位置ＩＤのうち位置種別が配電用変電所「ＳＳ」である位置ＩＤを検索する。そして、検索部１９ａは、図示しない内部メモリに記憶された探索リストに対し、ロケーションテーブル１４ａから検索されたＳＳの位置ＩＤを登録する。かかる探索リストには、探索の対象とするＳＳの位置ＩＤの他、探索時に発見された未探索のノードやブランチが随時登録される。なお、ここでは、ロケーションテーブル１４ａからＳＳの位置ＩＤを検索する場合を例示したが、ノードテーブル１６ａやブランチテーブル１６ｂに記憶されたノードＩＤのうち文字列が「ＳＳ」で始まるノードＩＤを検索することとしてもかまわない。【００４４】
続いて、検索部１９ａは、探索リストに登録されたＳＳの位置ＩＤを１つ選択する。そして、検索部１９ａは、ノードテーブル１６ａに記憶されたノードのうち先に選択が実行されたＳＳの位置ＩＤに対応するノードを検索する。その上で、検索部１９ａは、ノードテーブル１６ａから検索されたノードのレコードを、記憶部１３に配電系統情報１７として記憶されたカレントノードテーブル１７ａへ登録する。さらに、検索部１９ａは、ノードテーブル１６ａから検索されたノードを探索リストに登録する。なお、ＳＳが複数のＳＳバンクを有する場合には、１つの位置ＩＤを用いて検索がなされた場合でも複数のノードのレコードが検索される。【００４５】
そして、検索部１９ａは、探索リストに登録されたノードを１つ選択する。続いて、検索部１９ａは、ブランチテーブル１６ｂに記憶されたブランチのうち先に選択が実行されたノードが含まれるノードＩＤの組合せ、すなわちノードＩＤ１及びノードＩＤ２の組合せを持つブランチのレコードを検索する。その上で、検索部１９ａは、ブランチテーブル１６ｂから検索されたブランチのレコードを、記憶部１３に配電系統情報１７として記憶されたカレントブランチテーブル１７ｂへ登録する。さらに、検索部１９ａは、ブランチテーブル１６ｂから検索されたブランチを探索リストに登録する。このとき、探索リストに登録されるのは、ブランチを識別できる情報であればよく、例えば、少なくともブランチＩＤまたは設備ＩＤのいずれかを登録すればよい。【００４６】
続いて、検索部１９ａは、探索リストに登録されたブランチを１つ選択する。そして、検索部１９ａは、スパンテーブル１５ｂから先に選択が実行されたブランチの設備ＩＤに対応する属性情報を検索する。このとき、ブランチがスパンである場合には、スパンテーブル１５ｂから属性情報を検索できるが、ブランチがユニットである場合には、属性情報を検索できない。このため、検索部１９ａは、スパンテーブル１５ｂから属性情報を検索できなかった場合には、ユニットテーブル１５ａから先に選択が実行されたブランチの設備ＩＤに対応する属性情報を検索する。【００４７】
その後、検索部１９ａは、ノードの組合せのうち探索に用いられたノードとは対となる他方のノードがブランクではない場合に、当該ブランチが開閉器であるか否かを判定する。そして、検索部１９ａは、ブランチが開閉器である場合には、開閉器のスイッチが閉状態であるか否か、すなわち開閉区分が「１」であるか否かを判定する。このとき、検索部１９ａは、開閉器のスイッチが閉状態である場合には、ノードテーブル１６ａから他方のノードのレコードを検索した上で配電系統情報１７のカレントノードテーブル１７ａへ登録する。さらに、検索部１９ａは、他方のノードを未探索のノードとして探索リストへ追加する。【００４８】
そして、検索部１９ａは、探索リストに登録されたブランチを全て探索するまで、未探索のブランチの選択からこれまでの処理を繰り返し実行する。その後、検索部１９ａは、探索リストに登録されたブランチを全て探索すると、探索リストに登録されたノードを全て探索するまで、未探索のノードの選択からこれまでの処理を繰り返し実行する。そして、検索部１９ａは、探索リストに登録されたＳＳの位置ＩＤを全て探索するまで、未探索のＳＳの位置ＩＤの選択からこれまでの処理を繰り返し実行する。【００４９】
対応付け部１９ｂは、探索が実行された接続点の組合せ及び検索の結果として得られた設備と、設備情報１５に含まれる属性情報のうち検索の結果として得られた設備に対応する属性情報とを対応付ける処理部である。一態様としては、対応付け部１９ｂは、探索が実行されたブランチのレコードと、スパンテーブル１５ｂまたはユニットテーブル１５ａから検索されたブランチの属性情報とを対応付ける。例えば、対応付け部１９ｂは、カレントブランチテーブル１７ｂに記憶されたレコードのうちスパンテーブル１５ｂまたはユニットテーブル１５ａの検索に用いたブランチの設備ＩＤまたはブランチＩＤに対応付けて当該ブランチの属性情報を登録する。このとき、対応付け部１９ｂは、ユニットテーブル１５ａまたはスパンテーブル１５ｂからブランチの設備ＩＤに対応する位置ＩＤを検索した上でその位置ＩＤをさらに対応付けることもできる。【００５０】
ここで、図４〜図８の各テーブルを用いて、検索部１９ａ及び対応付け部１９ｂによる処理内容を具体的に説明する。最初に、図４に示したロケーションテーブル１４ａに記憶された位置ＩＤのうち位置種別が配電用変電所「ＳＳ」である位置ＩＤ「SS0001」が検索される。すると、ロケーションテーブル１４ａから検索されたＳＳの位置ＩＤ「SS0001」が探索リストに登録される。この場合、探索リストには、ＳＳの位置ＩＤが「SS0001」しか登録されていないので、位置ＩＤ「SS0001」が選択される。これを受けて、図７に示したノードテーブル１６ａに記憶されたノードのうち先に選択が実行されたＳＳの位置ＩＤ「SS0001」に対応するノードＩＤ「SS0001N01」が検索される。続いて、ノードテーブル１６ａから検索されたノードＩＤ「SS0001N01」のレコードがカレントノードテーブル１７ａへ登録される。さらに、ノードテーブル１６ａから検索されたノードＩＤ「SS0001N01」が探索リストにも登録される。この場合、探索リストには、ノードＩＤが「SS0001N01」しか登録されていないので、ノードＩＤ「SS0001N01」が選択される。【００５１】
すると、図８に示したブランチテーブル１６ｂに記憶されたブランチのうち先に選択が実行されたノードＩＤ「SS0001N01」が含まれるノードＩＤ１「SS0001N01」及びノードＩＤ２「PO0001N01」の組合せを持つ設備ＩＤ「SP0001」のブランチが検索される。その上で、ブランチテーブル１６ｂから検索された設備ＩＤ「SP0001」のブランチのレコードがカレントブランチテーブル１７ｂへ登録される。さらに、ブランチテーブル１６ｂから検索された設備ＩＤ「SP0001」が探索リストに登録される。この場合、探索リストには、設備ＩＤが「SP0001」しか登録されていないので、設備ＩＤ「SP0001」が選択される。【００５２】
すると、図６に示したスパンテーブル１５ｂから先に選択が実行された設備ＩＤ「SP0001」に対応するスパンの属性情報「径間２１ｍ、抵抗ＲＨ１、リアクタンスＸＨ１」が検索される。なお、ここでは、スパンの属性情報が検索される場合を例示したが、「SP」以外の文字列で始まる設備ＩＤの場合には、スパンテーブル１５ｂからは属性情報が検索されず、図５に示したユニットテーブル１５ａからユニットの属性情報が検索されることになる。【００５３】
このようにして得られた属性情報「径間２１ｍ、抵抗２２０Ω／ｍ、リアクタンス１５０Ω／ｍ」から、抵抗値４６２１（２２０×２１）Ω、リアクタンス値３１５０（１５０×２１）Ωがスパンテーブル１５ｂの検索に用いられた設備ＩＤ「SP0001」のブランチのレコードに対応付けてカレントブランチテーブル１７ｂに登録される。【００５４】
その後、ノードＩＤ１「SS0001N01」及びノードＩＤ２「PO0001N01」の組合せには、探索に用いられたノードＩＤ「SS0001N01」とは対となる他方のノードＩＤに「PO0001N01」が値として設定されている。このように、他方のノードＩＤがブランクではないので、当該設備ＩＤ「SP0001」のブランチが開閉器であるか否かが判定される。そして、設備ＩＤ「SP0001」のブランチは、開閉区分の値がブランクであり、開閉器ではない。よって、ノードテーブル１６ａから他方のノードＩＤ「PO0001N01」のレコードを検索した上で他方のノードＩＤ「PO0001N01」のレコードが配電系統情報１７のカレントノードテーブル１７ａへ登録される。さらに、他方のノードＩＤ「PO0001N01」が未探索のノードとして探索リストへ追加される。【００５５】
このように、他方のノードＩＤ「PO0001N01」が未探索のノードとして探索リストへ登録された時点では、ノードＩＤ「PO0001N01」以外にノードＩＤが登録されていない。このため、ノードＩＤ「PO0001N01」が選択された上で探索が継続される。【００５６】
なお、ここでは、他方のノードＩＤがブランクではない場合を例示したが、他方のノードＩＤがブランクである場合には、探索リストに登録された未探索のブランチの探索が実行される。また、未探索のブランチがなければ未探索のノードの探索が実行される。そして、未探索のＳＳの位置ＩＤがなければ探索が終了される。また、ここでは、ブランチが開閉器でない場合を例示したが、開閉器である場合には、開閉器のスイッチが閉状態でなければ他方のノードＩＤの検索、さらには、探索リストへの他方のノードの追加は実行されない。これは、開閉器のスイッチが開状態である場合に、他方のノードＩＤの検索や探索リストへの他方のノードの追加を実行すると、電気的に接続されていない異なる配電系統をカレントノードテーブル１７ａやカレントブランチテーブル１７ｂに誤登録することになるからである。【００５７】
上記の探索によって、ノードテーブル１６ａに登録されたブランチの中から探索が実行された時点で互いの設備が電気的に接続された配電系統のノードを検索したカレントノードテーブル１７ａを生成できる。さらに、上記の探索によって、ブランチテーブル１６ｂに登録されたブランチの中から探索が実行された時点で互いが電気的に接続された配電系統のブランチ及びブランチに対応する属性情報を検索した上でブランチ及び属性情報が対応付けられたカレントブランチテーブル１７ｂを生成できる。なお、以下では、探索が実行された時点で互いの設備が電気的に接続された配電系統のことを「現系統」と記載する場合がある。【００５８】
このようにして生成されたカレントノードテーブル１７ａ及びカレントブランチテーブル１７ｂを含む配電系統情報１７が記憶部１３に登録される。図９は、カレントノードテーブル１７ａの一例を示す図である。図１０は、カレントブランチテーブル１７ｂの一例を示す図である。これら図９及び図１０には、ノードＩＤ「SS0001N01」を起点とし、図４〜図８に示した各テーブルを用いて生成されたカレントノードテーブル１７ａ及びカレントブランチテーブル１７ｂが図示されている。【００５９】
図９に示すように、カレントノードテーブル１７ａのレコードのうち需要家の負荷設備と配電系統の設備との接続点であるノード「LL0001N01」、「LL0002N01」、「LL0003N01」、「LL0004N01」、「LL0005N01」、「LL0006N01」、「LL0007N01」及び「LL0008N01」のレコードには、スマートメータ等の計量器によって計量された電力使用量が属性情報の一例として登録される。かかる電力使用量には、負荷設備によって消費される「有効電力」と、負荷設備によって消費されない「無効電力」とが含まれる。このうち、無効電力は、遅れ無効電力とも呼ばれる。これらの電力使用量（有効）および電力使用量（無効）は、各ノードにおける電圧を計算する場合に参照される。【００６０】
図１０に示すように、カレントブランチテーブル１７ｂのレコードのうちブランチの設備が開閉器であるレコードには、ブランチテーブル１６ｂに登録されていた開閉区分の値が登録される。例えば、ブランチＩＤ「BR0002」、「BR0006」及び「BR0019」の開閉器には、いずれも開閉区分に「１」が登録されているので、開閉器のスイッチが閉状態であり、通電状態にあることを意味する。図１０には、開閉区分が「１」である開閉器を例示したが、開閉器の開閉区分が「０」である場合には、開閉器のスイッチが開状態であり、通電状態にないことを意味する。また、カレントブランチテーブル１７ｂの各レコードには、リアクタンス値Ｘと抵抗値Ｒとが属性情報の一例として登録される。このうち、ブランチの設備がユニットである設備、例えば開閉器や変圧器などには、ユニットテーブル１５ａに登録されていたリアクタンス値Ｘと抵抗値Ｒが属性情報としてそのまま登録される。一方、ブランチの設備がスパンである設備には、スパンテーブル１５に登録されている単位当たりのリアクタンス値に径間の値が乗算された値がリアクタンス値Ｘとして登録されるとともに、単位当たりの抵抗値に径間の値が乗算された値が抵抗値Ｒとして登録される。これらユニット及びスパンのリアクタンス値Ｘ及び抵抗値Ｒは、各ノードにおける電圧を計算する場合に参照される。【００６１】
なお、ここでは、電圧の計算に使用されるパラメータとして、電力使用量（有効）、電力使用量（無効）、抵抗値やリアクタンス値を例示したが、カレントノードテーブル１７ａまたはカレントブランチテーブル１７ｂのいずれかのテーブルに変圧器が接続される接続相の項目を追加することによって電圧の計算をより精密に行うことができる。例えば、電線が単相３線である場合には、柱上で電線に接続される変圧器の１台目を「接続相１」とし、２台目を「接続相２」とし、３台目を「接続相３」とし、３線の電線のうち１本目と２本目に変圧器が接続される場合には値「Ａ」を登録し、２本目と３本目に変圧器が接続される場合には値「Ｂ」を登録し、１本目と３本目に変圧器が接続される場合には値「Ｃ」を登録することができる。【００６２】
このように、図９に示したカレントノードテーブル１７ａ及び図１０に示したカレントブランチテーブル１７ｂから生成された配電系統情報１７は、図１１及び図１２に示す配電系統のグラフ構造を表す。図１１及び図１２は、現系統のグラフ構造の一例を示す図である。図１１及び図１２に示す現系統は、ＳＳバンクと設備ＩＤ「SP0001」の高圧線の接続点であるノードＩＤ「SS0001N01」のノードを階層構造のルート（１階層）に持つ。さらに、現系統は、ルートから終端となる設備ＩＤ「LL000101」、「LL000201」、「LL000301」、「LL000401」、「LL000501」、「LL000601」、「LL000701」、「LL000801」の８つの負荷設備へ向かう経路を持つ。このうち、ＳＳバンクから設備ＩＤ「LL000801」の負荷設備までの階層が１０階層と最も浅く、ＳＳバンクから設備ＩＤ「LL000201」、「LL000301」及び「LL000401」の負荷設備までの階層が１９階層と最も深いことがわかる。このように、上記の配電系統情報１７を生成することによって、高圧系統や低圧系統といった大雑把な単位ではなく、設備単位、さらには、設備間の接続点単位に細分化して現系統の電気的な繋がりを把握することができる。【００６３】
図１の説明に戻り、取得部１９ｃは、スマートメータ５０の電力使用量を取得する処理部である。一態様としては、取得部１９ｃは、各需要家の負荷設備に接続されたスマートメータ５０からアップデートされた電力使用量を取得する。続いて、取得部１９ｃは、スマートメータ５０が接続されている負荷設備の設備ＩＤ、アップデートの年月日、時刻、さらには、電力使用量が対応付けられたレコードを負荷情報１８のロードテーブル１８ａに追加登録する。例えば、各スマートメータ５０が一定期間、例えば３０分間ごとに電力使用量をアップデートする場合を想定する。この場合、ロードテーブル１８ａには、１つのスマートメータ５０につき、スマートメータ５０に電力使用量の検針結果を通知させる検針間隔と、スマートメータ５０及び配電管理装置１０間の伝送遅延時間との和に相当する時間の周期で上記のレコードの登録がなされることになる。【００６４】
ここで、記憶部１３に記憶される負荷情報１８の一例について説明する。上記の負荷情報１８は、設備ＩＤ、年月日、時刻および電力使用量などの項目が対応付けられたロードテーブル１８ａを採用できる。図１３は、ロードテーブル１８ａの一例を示す図である。図１３に示すように、設備ＩＤ「ＬＬ１」の負荷設備に接続されたスマートメータ５０から、２０１２年９月５の１４時４０分１８秒と１５時１０分１９秒に電力使用量Ｕ１１と電力使用量Ｕ１２がアップロードされていることを意味する。また、設備ＩＤ「ＬＬ２」の負荷設備に接続されたスマートメータ５０から、２０１２年９月５の１４時３８分５９秒に電力使用量Ｕ２０がアップロードされて以降は少なくとも１５時１０分１９秒までアップロードが途絶えていることを意味する。さらに、設備ＩＤ「ＬＬ３」及び「ＬＬ４」の負荷設備に接続された各々のスマートメータ５０についても、２０１２年９月５の１４時４０分２９秒または１４時４２分３３秒以降に３０分間以上アップロードが途絶えていることを意味する。なお、図１３には、異常箇所の検出について説明する便宜上、図５のユニットテーブル１５ａに示した設備の例とは独立した負荷設備の例を図示している。【００６５】
算出部１９ｄは、各カレントノードにおける電圧を算出する処理部である。一態様としては、算出部１９ｄは、スマートメータ５０からアップロードされた電力使用量に関する履歴がロードテーブル１８ａに更新された場合に、配電系統別に変電所が持つカレントノードから負荷設備が持つカレントノードへ向けて各カレントノードにおける電圧を算出する処理を起動する。【００６６】
これを具体的に説明すると、算出部１９ｄは、カレントブランチテーブル１７ｂから電圧の計算に用いる情報を読み出す。例えば、算出部１９ｄは、変電所から送出される電力の電圧、変圧器の電圧比、さらには、電線が持つ抵抗やリアクタンスなどを取得する。以下では、変電所から送出される電力の電圧のことを「送出電圧」と記載する場合がある。さらに、算出部１９ｄは、ロードテーブル１８ａから各需要家の負荷設備における電力使用量を読み出す。例えば、電力発電量が電力使用量を超える場合に電力使用量が負の値をとることがある。このように、電力使用量が負の値をとる場合には、需要家の発電設備によって発電された電力が負荷設備から配電系統への方向に流れる逆潮流が発生する。この場合には、電気事業者が需要家から電力を買い取る買電が実施される。【００６７】
その上で、算出部１９ｄは、上記の変電所の送出電圧、変圧器の電圧比、電線の抵抗及びリアクタンスや負荷設備の電力使用量などのパラメータを用いて、各カレントノードの電圧を算出する。かかる電圧の算出方法の一例としては、ＢＦＳ（Backward-Forward  Sweep）を始め、Newton-Raphson法などの既知のアルゴリズムを適応的に採用できる。例えば、ＢＦＳが採用された場合には、配電系統が放射状であるという特性を活かし、負荷設備からの逐次計算と変電所からの修正を交互に実行することによって各カレントノードの電圧が算出される。このようにして需要家の負荷設備が持つ末端のカレントノードの電圧が算出されることになる。【００６８】
検出部１９ｅは、配電系統の異常箇所を検出する処理部である。一態様としては、検出部１９ｅは、負荷情報１８を用いて、需要家の負荷設備が持つノードごとに当該ノードの通電状態が通電または停電のいずれであるかを判定する。そして、検出部１９ｅは、需要家の負荷設備が持つノードのうち通電状態が通電であるノードを対象に、当該ノードから変電所側、すなわち一次側へノードを探索することによって通電状態が通電であるノードを判別する。さらに、検出部１９ｅは、需要家の負荷設備が持つノードのうち通電状態が停電であるノードを対象に、当該ノードから一次側へノードを探索することによって通電状態が停電であるノードを判別する。その上で、検出部１９ｅは、通電状態が通電であるノード及び通電状態が停電であるノードを持つブランチを、故障や事故等の異常が発生しているブランチとして検出する。なお、以下では、需要家の負荷設備が持つノードのことを「末端ノード」、通電状態が通電であるノードのことを「通電ノード」、通電状態が停電であるノードのことを「停電ノード」、異常が発生しているブランチを「異常ブランチ」と記載する場合がある。【００６９】
上記の末端ノードの通電状態の判定について説明する。例えば、検出部１９ｅは、前回に異常ブランチの検出が実行されてからスマートメータ５０の検針間隔＋スマートメータ５０及び配電管理装置１０間の伝送遅延時間が経過する度に処理を起動する。まず、検出部１９ｅは、カレントノードテーブル１７ａに登録された全てのカレントノードの通電状態に不詳を設定する。そして、検出部１９ｅは、カレントブランチテーブル１７ｂからスマートメータ５０が接続された負荷設備の設備ＩＤを持つカレントブランチを検索する。続いて、検出部１９ｅは、カレントブランチテーブル１７ｂから検索されたカレントブランチを探索リストに登録する。【００７０】
その後、検出部１９ｅは、探索リストからカレントブランチを１つ選択する。続いて、検出部１９ｅは、ロードテーブル１８ａから、先に選択が実行されたカレントブランチの設備ＩＤに対応するレコードを検索する。そして、検出部１９ｅは、カレントブランチの設備ＩＤに対応するレコードが検索できた場合に、検索されたレコードのうち最新のレコードが現時刻から所定期間、例えば検針間隔「３０分間」＋伝送遅延時間「α」内に取得されたものであるか否かを判定する。例えば、検出部１９ｅは、最新のレコードの時刻に所定期間、例えば検針間隔＋伝送遅延時間を加えた時刻が現時刻に収まるか否かを判定する。ここで言う「現時刻」とは、処理が実行される時点の年月日における時刻を指す。【００７１】
このとき、検出部１９ｅは、最新のレコードが現時刻から所定期間内に取得されたものである場合に、カレントブランチの一次側のノード、すなわち末端ノードの通電状態に「通電」を設定する。一方、検出部１９ｅは、ロードテーブル１８ａからレコードを検索できなかった場合、あるいは検索できても最新のレコードの年月日及び時刻が現時刻から所定期間内に取得されたものではない場合に、末端ノードの通電状態に「停電」を設定する。その後、検出部１９ｅは、探索リストに未探索のカレントブランチがなくなるまで、末端ノードの通電状態の判定を繰り返し実行する。【００７２】
ここで、図１４〜図１７を用いて、末端ノードの通電状態の判定についての具体例を例示する。図１４は、カレントノードテーブル１７ａの一例を示す図である。図１５は、カレントブランチテーブル１７ｂの一例を示す図である。なお、図１４及び図１５には、図７に示したノードテーブル１６ａ及び図８に示したブランチテーブル１６ｂと略同一のものであるが、異常ブランチの検出に使用される項目を追加して図示する一方で、異常ブランチの検出に使用されない項目については図示を省略している項目も含まれる。例えば、図１４に示すカレントノード１７ａには、図７に示したノードテーブル１６ａと比べて、異常ブランチの検出に用いる通電状態の項目が追加されている一方で、位置ＩＤは図示していないが、図示が省略されているだけで当然のことながら位置ＩＤも登録されているものとする。また、図１５に示すカレントブランチテーブル１７ｂには、異常ブランチの検出に用いない開閉区分は図示していないが、図示が省略されているだけで開閉区分も登録されていてもかまわない。なお、図１４及び図１５には、異常ブランチの検出を説明する便宜上、図１１及び図１２に示した配電系統のグラフ構造とは異なる配電系統のノード及びブランチの例を図示している。【００７３】
図１６及び図１７は、現系統のグラフ構造の一例を示す図である。図１６及び図１７には、図１４に示すカレントノードと図１５に示すカレントブランチとを用いて末端ノードの通電状態が判定される場合の通電状態の設定に関する遷移が図示されている。このうち、図１６には、末端ノードの通電状態の判定が開始されて全てのカレントノードに通電状態「不詳」が設定された時点の通電状態の設定状況を図示し、図１７には、末端ノードの通電状態に判定結果が設定された時点の通電状態の設定状況を図示している。また、図１６及び図１７には、各カレントノードの中に当該カレントノードの通電状態が図示されている。以降の説明では、ノードに設定された通電状態の値が「１」であれば通電を指し、「０」であれば停電を指し、「９」であれば不詳を指すこととする。【００７４】
例えば、前回に異常ブランチの検出が実行されてから検針間隔＋伝送遅延時間が経過した場合に処理が起動され、図１６に示すように、図１４に示したカレントノードテーブル１７ａに登録された全てのカレントノードの通電状態が「９（不詳）」に設定される。そして、図１５に示したカレントブランチテーブル１７ｂからスマートメータ５０が接続された負荷設備の設備ＩＤを持つカレントブランチが検索される。図１５に示すカレントブランチの例で言えば、二次側にノードＩＤが設定されていない設備ＩＤ「ＬＬ１」、「ＬＬ２」、「ＬＬ３」及び「ＬＬ４」の４つのカレントブランチ、すなわちブランチＩＤ「Ｂ７」、「Ｂ１０」、「Ｂ１２」及び「Ｂ１３」が検索されることになる。このようにして検索された設備ＩＤ「ＬＬ１」、「ＬＬ２」、「ＬＬ３」及び「ＬＬ４」の４つのブランチは、探索リストに登録される。【００７５】
その後、探索リストからカレントブランチが１つ選択される。このとき、設備ＩＤ「ＬＬ１」が選択された場合を想定する。例えば、現時刻が１５時２０分００秒であるとしたとき、図１３に示したロードテーブル１８ａに設備ＩＤ「ＬＬ１」を持つレコードが存在し、かつ最新のレコードの時刻「１５時１０分１９秒」が現時刻「１５時２０分００秒」から所定期間、例えば３０分＋１分以内に収まる。このため、設備ＩＤ「ＬＬ１」のブランチが持つ一次側のノード、すなわち末端ノード「Ｎ７」の通電状態には「１」が設定される。その一方で、設備ＩＤ「ＬＬ２」、「ＬＬ３」及び「ＬＬ４」のカレントブランチが選択された場合には、現時点から所定期間以内に収まらないので、これらのブランチが持つ一次側のノード、すなわち末端ノード「Ｎ９」及び「Ｎ１０」の通電状態には「０」が設定される。このようにして、末端ノードの通電状態が図１７に示す状態に設定される。【００７６】
次に、上記の通電ノードの判別について説明する。例えば、検出部１９ｅは、末端ノードの通電状態の判定が終了すると、カレントノードテーブル１７ａに登録されたカレントノードのうち末端ノードの通電状態が通電に設定された末端ノードを検索する。その上で、検出部１９ｅは、カレントノードテーブル１７ａから検索されたカレントノードを探索リストへ登録する。続いて、検出部１９ｅは、探索リストからカレントノードを１つ選択する。続いて、検出部１９ｅは、カレントブランチテーブル１７ｂに登録されたカレントブランチのうち先に選択されたカレントノードを二次側に持つカレントブランチを検索する。【００７７】
そして、検出部１９ｅは、カレントブランチテーブル１７ｂからカレントブランチを検索できた場合に、当該カレントブランチの一次側のカレントノードを検索する。このとき、検出部１９ｅは、一次側のカレントノードの通電状態に不詳が設定されている場合に、当該一次側のカレントノードの通電状態に「通電」を設定するとともに、当該一次側のカレントノードを探索リストに追加登録する。その後、検出部１９ｅは、探索リストに未探索のカレントノードがなくなるまで、末端ノードからＳＳバンクが持つ最上位のノードまで通電ノードを探索する処理を繰り返し実行する。【００７８】
ここで、図１７及び図１８を用いて、通電ノードの判別についての具体例を例示する。図１８は、現系統のグラフ構造の一例を示す図である。図１８には、通電ノードの判別が終了した時点の通電状態の設定状況が図示されている。例えば、末端ノードの通電状態の判定が終了した後に、末端ノードの通電状態が通電に設定された末端ノード、すなわち図１７に示したノードＩＤ「Ｎ７」を持つ末端ノードだけが検索された上で探索リストへ登録される。この場合、探索リストには、ノードＩＤ「Ｎ７」を持つ末端ノードしか登録されていないので、ノードＩＤ「Ｎ７」を持つ末端ノードが選択されることになる。すると、カレントノード「Ｎ７」を二次側に持つカレントブランチ、図１５に示す例で言えば設備ＩＤ「ＳＰ４」を持つスパンが検索される。【００７９】
そして、設備ＩＤ「ＳＰ４」を持つカレントブランチの一次側のカレントノード「Ｎ６」が検索される。このとき、一次側のカレントノード「Ｎ６」の通電状態には、図１７に示したように、不詳が設定されているので、当該一次側のカレントノード「Ｎ６」の通電状態が「通電」に設定されるとともに、当該一次側のカレントノード「Ｎ６」を探索リストに追加登録する。その後、同様の流れで処理が実行された結果、カレントノード「Ｎ６」が選択されてカレントノード「Ｎ５」の通電状態が「通電」に設定されるとともにカレントノード「Ｎ５」が探索リストに追加登録される。以降、カレントノードの探索が「Ｎ５」、「Ｎ４」、「Ｎ３」、「Ｎ２」、「Ｎ１」の順に実行されることによって各々のカレントノードの通電状態が「通電」に設定される。そして、最上位のカレントノード「Ｎ１」の探索が終了すると、未探索のカレントノードがなくなり、通電ノードの判別が終了される。この結果、カレントノードの通電状態が図１８に示す状態に更新される。【００８０】
次に、上記の停電ノードの判別について説明する。例えば、検出部１９ｅは、通電ノードの判別が終了すると、カレントノードテーブル１７ａに登録されたカレントノードのうち末端ノードの通電状態が停電に設定された末端ノードを検索する。その上で、検出部１９ｅは、カレントノードテーブル１７ａから検索された末端ノードであるカレントノードを探索リストへ登録する。続いて、検出部１９ｅは、探索リストからカレントノードを１つ選択する。続いて、検出部１９ｅは、カレントブランチテーブル１７ｂに登録されたカレントブランチのうち先に選択が実行されたカレントノードを二次側に持つカレントブランチを検索する。【００８１】
そして、検出部１９ｅは、カレントブランチテーブル１７ｂからカレントブランチを検索できた場合に、カレントノードテーブル１７ａから当該カレントブランチの一次側のカレントノードを検索する。このとき、検出部１９ｅは、一次側のカレントノードの通電状態が不詳に設定されている場合に、カレントブランチテーブル１７ｂから当該通電状態が不詳に設定されているカレントノードを一次側に持つカレントブランチを検索する。その上で、検出部１９ｅは、カレントブランチテーブル１７ｂから検索されたカレントブランチを探索リストへ登録する。なお、一次側のカレントノードの通電状態が不詳に設定されていない場合には、一次側のカレントノードの通電状態には通電または停電が設定されており、既知であることがわかるので、その場合には当該末端ノードからの探索は中止される。【００８２】
続いて、検出部１９ｅは、探索リストからカレントブランチを１つ選択する。そして、検出部１９ｅは、カレントノードテーブル１７ａから先に選択が実行されたカレントブランチの二次側のカレントノードを検索する。そして、検出部１９ｅは、カレントノードテーブル１７ａから検索された二次側のカレントノードの通電状態が通電以外であるか否かを判定する。その後、検出部１９ｅは、二次側のカレントノードの通電状態が通電以外である場合には、探索リストから未探索のカレントブランチを１つ選択し、通電状態が不詳に設定されているカレントノードを一次側に持つ全てのカレントブランチの二次側のカレントノードについて探索を繰り返す。【００８３】
その上で、検出部１９ｅは、通電状態が不詳に設定されているカレントノードを一次側に持つ全ての二次側のカレントノードの通電状態が通電以外である場合に、通電状態を不詳としていたカレントノードの通電状態を「停電」に設定するとともに、当該カレントノードを探索リストへ追加登録する。そして、検出部１９ｅは、探索リストに未探索のカレントノードがなくなるまで、末端ノードからＳＳバンクが持つ最上位のノードまで停電ノードを探索する処理を繰り返し実行する。【００８４】
ここで、図１８及び図１９を用いて、停電ノードの判別についての具体例を例示する。図１９は、現系統のグラフ構造の一例を示す図である。図１９には、停電ノードの判別が終了した時点の通電状態の設定状況が図示されている。例えば、通電ノードの判別が終了した後に、末端ノードの通電状態が停電に設定された末端ノード、すなわち図１８に示したノードＩＤ「Ｎ９」及び「Ｎ１０」を持つ末端ノードが検索された上で探索リストへ登録される。ここでは、一例として、ノードＩＤ「Ｎ９」を持つ末端ノードが選択される場合を想定する。すると、カレントノード「Ｎ９」を二次側に持つカレントブランチ「Ｂ９」が検索される。【００８５】
そして、カレントブランチ「Ｂ９」の一次側のカレントノード「Ｎ８」が検索される。かかるカレントノード「Ｎ８」には、通電状態に「不詳」が設定されているので、当該カレントノード「Ｎ８」を一次側に持つカレントブランチ「Ｂ１１」が検索される。かかるカレントブランチ「Ｂ１１」には、通電状態が停電であるカレントノード「Ｎ１０」が接続されている。つまり、カレントノード「Ｎ８」の配下には、１つも通電状態が停電以外であるカレントノードが存在しないことが判明する。この場合には、通電状態が不詳に設定されていたカレントノード「Ｎ８」の通電状態が「停電」に更新されることになる。この結果、カレントノードの通電状態が図１９に示す状態に更新される。【００８６】
次に、上記の異常ブランチの検出について説明する。例えば、検出部１９ｅは、停電ノードの判別が終了すると、カレントノードテーブル１７ａに登録されたカレントノードのうち一次側がないカレントノードを検索する。その上で、検出部１９ｅは、カレントノードテーブル１７ａから検索された最上位のノードであるカレントノードを探索リストへ登録する。続いて、検出部１９ｅは、探索リストからカレントノードを１つ選択する。【００８７】
そして、検出部１９ｅは、カレントブランチテーブル１７ｂから、先に選択が実行されたカレントノードを一次側に持つカレントブランチを検索する。その上で、検出部１９ｅは、カレントブランチテーブル１７ｂから検索されたカレントブランチを探索リストへ登録する。続いて、検出部１９ｅは、探索リストからカレントブランチを１つ選択する。その上で、検出部１９ｅは、探索リストから選択されたカレントブランチの二次側のカレントノードをさらに検索する。その上で、検出部１９ｅは、探索リストから選択されたカレントブランチの一次側のカレントノードの通電状態が「通電」であり、かつ二次側のカレントノードの通電状態が「停電」であるか否かを判定する。【００８８】
ここで、カレントブランチの一次側のカレントノードの通電状態が「通電」であり、かつ二次側のカレントノードの通電状態が「停電」である場合には、当該カレントブランチが通電ノードと停電ノードを持つブランチであり、当該カレントブランチで通電が途絶えていると判明する。この場合には、検出部１９ｅは、当該カレントブランチを「異常ブランチ」として検出する。【００８９】
一方、カレントブランチの一次側のカレントノードの通電状態が「通電」であっても、二次側のカレントノードの通電状態も「通電」である場合には、当該カレントブランチで通電が途絶えていないことがわかる。この場合には、検出部１９ｅは、当該カレントブランチの二次側のカレントノードを探索リストへ追加登録する。その上で、検出部１９ｅは、探索リストに未探索のカレントブランチがなくなるまで通電ノードと停電ノードを持つ異常ブランチの有無の判定および二次側のカレントノードの探索リストの追加登録を繰り返し実行する。その後、検出部１９ｅは、探索リストに未探索のカレントブランチがなくなると、探索リストに未探索のカレントノードがなくなるまでカレントノードを選択し、通電ノードと停電ノードを持つ異常ブランチの有無の判定を繰り返し実行する。なお、通電ノードと停電ノードを持つ異常ブランチが１つも検出されなかった場合には、電気事業者が持つ設備に異常が起こっていないことがわかる。【００９０】
ここで、図１９を用いて、異常ブランチの検出についての具体例を例示する。例えば、停電ノードの判別が終了した後に、カレントノードテーブル１７ａに登録されたカレントノードのうち一次側がないカレントノード「Ｎ１」が検索された上で、カレントノード「Ｎ１」が探索リストへ登録される。続いて、探索リストからカレントノード「Ｎ１」が選択されると、カレントノード「Ｎ１」を一次側に持つカレントブランチ「Ｂ１」が検索される。続いて、カレントブランチ「Ｂ１」の二次側のカレントノード「Ｎ２」がさらに検索される。【００９１】
このとき、カレントブランチ「Ｂ１」は、一次側のカレントノード「Ｎ１」の通電状態及び二次側のカレントノード「Ｎ２」の通電状態の両方が「通電」であるので、当該カレントブランチ「Ｂ１」で通電が途絶えていないことがわかる。この場合には、検出部１９ｅは、当該カレントブランチの二次側のカレントノード「Ｎ２」が探索リストへ追加登録された後にカレントノード「Ｎ２」の探索が開始される。その後、カレントノード「Ｎ２」、「Ｎ３」、「Ｎ４」の順に探索が実行されることによってカレントブランチ「Ｂ２」、「Ｂ３」及び「Ｂ４」においても、通電が途絶えていないことがわかる。そして、カレントノード「Ｎ２」の探索が実行された場合には、２つのカレントブランチ「Ｂ５」及び「Ｂ８」が検索される。【００９２】
このうち、カレントブランチ「Ｂ５」では、一次側のカレントノード「Ｎ５」の通電状態及び二次側のカレントノード「Ｎ６」の通電状態の両方が「通電」であるので、通電が途絶えていないことがわかる。一方、カレントブランチ「Ｂ８」では、一次側のカレントノード「Ｎ５」の通電状態が「１」である一方で二次側のカレントノード「Ｎ８」の通電状態が「０」であるので、当該カレントブランチ「Ｂ８」で通電が途絶えていると判明する。この場合には、図１９に示すカレントブランチ「Ｂ８」が異常ブランチとして検出される。【００９３】
図１の説明に戻り、表示制御部１９ｆは、クライアント端末３０に対する表示制御を実行する処理部である。一態様としては、表示制御部１９ｆは、ユーザによる表示設定にしたがって配電系統画面の表示データを生成した上で配電系統画面の表示データをクライアント端末３０に表示させる。なお、ここでは、表示用データをクライアント端末３０に表示させる場合を例示するが、配電管理装置１０や他の装置が有する表示部に表示させることとしてもかまわない。【００９４】
これを説明すると、表示制御部１９ｆは、クライアント端末３０に表示させる画面の表示設定を取得する処理部である。例えば、表示制御部１９ｆは、クライアント端末３０から配電系統画面の閲覧要求を受け付けた場合、クライアント端末３０から配電管理装置１０へのログイン処理等が成功した場合、あるいは前回の更新から所定の期間、例えば検針間隔「３０分間」＋伝送遅延時間「α」が経過した場合などに、記憶部１３に記憶された図示しない表示設定情報を取得することができる。【００９５】
かかる表示設定情報の一態様としては、地図の表示範囲、地図の縮尺および表示モードなどの項目が対応付けられたデータを採用できる。このうち、地図の表示範囲の一例としては、最後に配電系統画面が閲覧された時点の地図の表示範囲や電気事業者の管轄区域のうち重要度が高い配電系統が含まれる領域などが挙げられる。かかる地図の範囲は、例えば、配電系統画面上の特定の点、例えば画面の左上の頂点や中心、画面の幅および高さ等の要素によって定義することができる。また、地図の縮尺の一例としては、地図の縮尺そのものであってもよいし、一定の縮尺が対応付けられたレベル、例えば詳細図よりも縮尺が小さい「広域図」および広域図よりも縮尺が大きい「詳細図」などであってもかまわない。また、表示モードの一例としては、低圧系統の電圧を表示する電圧表示モードと、配電系統の異常箇所を表示する停電表示モードとが挙げられる。【００９６】
また、表示制御部１９ｆは、記憶部１３に記憶された図示しない表示設定情報を取得する代わりに、クライアント端末３０から配電系統画面の表示設定の入力を受け付けることによって表示設定を取得することもできる。【００９７】
図２０は、表示設定の受付画面の一例を示す図である。図２０に示す表示設定の受付画面２００は、一つの配電用変電所が管轄する全域が収まった全域地図が図示されている。図２０には、地図の縮尺が「詳細図」である場合に全域地図上で配電系統画面の表示範囲を設定するのに用いられる照準２１０が図示されている。かかる受付画面２００では、図示しない切替えボタン等を操作することによって地図の縮尺を「詳細図」または「広域図」のいずれを用いるかを自在に切り替えることができる。また、地図の縮尺は、プルダウンメニュから選択することとしてもよいし、フォームから任意の縮尺を入力させることとしてもかまわない。また、図２０に示す受付画面２００上で照準２１０を所望の位置に移動させることによって配電系統画面に表示させる地図の表示範囲を設定できる。なお、上記の表示設定の受付画面２００は、配電系統画面の閲覧要求を受け付けた場合に一時的に表示させることとしてもよいが、ウィンドウ内で配電系統画面が表示される位置とは別の位置に定常的に表示させることとしてもかまわない。【００９８】
続いて、表示制御部１９ｆは、ロケーションテーブル１４ａから、地図の表示範囲に含まれる位置ＩＤを取得する。そして、表示制御部１９ｆは、ユニットテーブル１５ａ及びスパンテーブル１５ｂから地図の表示範囲内にある位置ＩＤを持つユニットおよびスパンのレコードを取得する。続いて、表示制御部１９ｆは、ユニット及びスパンのレコードのうちブランチテーブル１６ｂに設備ＩＤが登録されているレコードを抽出する。これによって、ユニット及びスパンの中でも現系統に含まれるユニット及びスパンが抽出されることになる。その上で、表示制御部１９ｆは、現系統に含まれるユニット及びスパン等の設備の位置ＩＤに対応する緯度及び経度等の位置情報を用いて、記憶部１３に記憶された地図情報から切り出された表示範囲の地図画像に各設備を配置することによって表示データを生成する。そして、表示制御部１９ｆは、表示設定の表示モードが「電圧表示モード」であるか否かを判定する。【００９９】
ここで、表示制御部１９ｆは、表示モードが「電圧表示モード」である場合に、算出部１９ｄによって算出された各カレントノードの電圧の算出結果を参照して、配電系統の設備のうち逆潮流が発生している設備、すなわち一次側よりも二次側の電圧の方が高い設備を抽出する。その上で、表示制御部１９ｆは、現系統のユニット及びスパンの表示データのうち逆潮流が発生している設備に電気の流れの向きを表す記号、例えば矢印を付加する。なお、ここでは、逆潮流が発生している設備に電気の流れの向きを表示させる場合を例示したが、逆潮流が発生している設備の表示色を変更したり、逆潮流が発生している設備を点滅して表示させたりすることによって両者を区別することとしてもよい。【０１００】
さらに、表示制御部１９ｆは、各カレントノードの電圧の状態に応じて、負荷設備および配電系統に異なる表示色を設定する。例えば、標準電圧が「１０１Ｖ」であり、標準電圧からの許容範囲が「±６」である場合を想定する。この例で言えば、表示制御部１９ｆは、許容範囲に含まれる電圧が９５Ｖから１０７Ｖまで１Ｖごとの段階に分けて各々の段階の電圧値を持つ設備に異なる色をそれぞれ設定する。さらに、表示制御部１９ｆは、許容範囲を逸脱する電圧、すなわち上限値「１０７Ｖ」を超える上限値超過の電圧および下限値「９５Ｖ」を下回る下限値超過の電圧を持つ設備に警告を促す表示色を設定することもできる。例えば、表示制御部１９ｆは、上限値を超過する設備には「赤」の表示色を設定したり、下限値を超過する設備には「青」の表示色を設定したりすることができる。この場合には、許容範囲に含まれる各段階には標準電圧である１０１Ｖに近づくほど「緑」に近い色が付与されるように表示色の設定を行うことで、上限値付近の電圧を持つ設備と下限値付近の電圧を持つ設備を色によって直感的に視認させることができる。なお、ここでは、標準電圧が１０１Ｖである場合を例示したが、標準電圧が他の値をとる場合にも同様の表示制御を実行することができる。【０１０１】
図２１は、配電系統画面の一例を示す図である。図２１には、電圧表示モードにおける配電系統画面３００の表示データが図示されている。図２１に示すように、配電系統画面３００には、逆潮流が発生している設備に電気の流れの向きを表す矢印が表示されている。このため、配電系統画面３００を閲覧する電気事業者の所属員は、逆潮流によって電圧が高くなっているユニットやスパンを直感的に把握することができる。さらに、図２１に示すように、配電系統画面３００には、標準電圧である１０１Ｖの緑色を中心に電圧が高くなるほど赤色に近づく一方で電圧が低くなるほど青色に近づくようにユニット及びスパンの表示色が付与されている。それ故、下限値である９５Ｖに近い色で表示されている設備には、低圧線や引込線のサイズを太くする工事によって電圧降下を抑制したり、変圧器のタップを調整する工事によって高圧から低圧へ変圧するときの電圧比を下げたりする対処の実施を計画できる。また、上限値である１０７Ｖに近い色で表示されている設備には、変圧器のタップを調整する工事によって高圧から低圧へ変圧するときの電圧比を上げる対処の実施を計画できる。さらに、矢印が表示されるとともに緑色や青色で表示されている場合には、負荷設備で発電がなされていない場合に許容範囲を下回る可能性がある設備であることを把握できる。この場合にも、電線の工事や変圧器のタップ調整の工事などの対処の実施を計画できる。かかる矢印付きかつ青色寄りの設備については、設備ＩＤを抽出した上で警告表示を実行させることもできる。【０１０２】
また、表示制御部１９ｆは、表示モードが「停電表示モード」である場合に、検出部１９ｅによって検出された異常ブランチの表示態様を変更する。さらに、表示制御部１９ｆは、異常ブランチに収容される負荷設備を当該異常ブランチによって停電が発生している停電範囲として表示態様を変更することもできる。例えば、表示制御部１９ｆは、停電が発生している設備を点滅で表示させたり、色を変更して表示させたりすることによって停電が発生していない設備との間で表示態様を区別することができる。【０１０３】
図２２は、配電系統画面の一例を示す図である。図２２には、停電表示モードにおける配電系統画面４００の表示データが図示されている。図２２に示すように、配電系統画面４００には、異常ブランチとして検出されたスパン４１０が他の設備とは異なる色で表示されている。このため、配電系統画面４００を閲覧する電気事業者の所属員は、異常箇所がスパン４１０であることを把握できる。さらに、図２２に示すように、配電系統画面４００には、スパン４１０の異常による影響範囲にある負荷設備４２０の近傍に「！」が表示されている。それ故、電気事業者の所属員は、スパン４１０に異常が発生したことが原因となって「！」が付与された負荷設備が停電していることを把握できる。【０１０４】
なお、ここでは、電圧表示モードで表示される配電系統画面と、停電表示モードで表示される配電系統画面とが排他的に表示される場合を例示したが、２つの表示モードで実行される表示制御が組み合わせて実行された配電系統画面の表示データを生成することもできる。また、電圧表示モードと停電表示モードは、任意のタイミングで切り替えることができ、また、任意の条件で切り替えることができる。例えば、電圧表示モードの配電系統画面と停電表示モードの配電系統画面とが所定の間隔おきに切り替えて表示させることとしてもよいし、ＧＵＩ（Graphical  User  Interface）を介して切り替えの要求を受け付けることとしてもよい。【０１０５】
なお、制御部１９には、各種の集積回路や電子回路を採用できる。また、制御部１９が有する機能部の一部を別の集積回路や電子回路とすることもできる。例えば、集積回路としては、ＡＳＩＣ（Application  Specific  Integrated  Circuit）が挙げられる。また、電子回路としては、ＣＰＵ（Central  Processing  Unit）やＭＰＵ（Micro  Processing  Unit）などが挙げられる。【０１０６】
［処理の流れ］
続いて、本実施例に係る配電管理装置１０の処理の流れについて説明する。なお、ここでは、配電管理装置１０によって実行される（１）配電管理処理を説明した後に、（２）配電系統画面の表示制御処理を説明することとする。【０１０７】
（１）配電管理処理
図２３〜図２５は、実施例１に係る配電管理処理の手順を示すフローチャートである。この配電管理処理は、クライアント端末３０を介して配電系統画面の閲覧要求を受け付けた場合や前回に処理が実行されてから一定期間が経過した場合に、処理が開始される。【０１０８】
図２３に示すように、検索部１９ａは、ロケーションテーブル１４ａに記憶された位置ＩＤのうち位置種別が配電用変電所「ＳＳ」である位置ＩＤを検索する（ステップＳ１０１）。そして、検索部１９ａは、ロケーションテーブル１４ａから検索されたＳＳの位置ＩＤを探索リストへ登録する（ステップＳ１０２）。【０１０９】
続いて、検索部１９ａは、探索リストに登録されたＳＳの位置ＩＤを１つ選択する（ステップＳ１０３）。そして、検索部１９ａは、ノードテーブル１６ａに記憶されたノードのうち先に選択が実行されたＳＳの位置ＩＤに対応するノードを検索する（ステップＳ１０４）。【０１１０】
その上で、検索部１９ａは、ノードテーブル１６ａから検索されたノードのレコードを、記憶部１３に配電系統情報１７として記憶されたカレントノードテーブル１７ａへ登録する（ステップＳ１０５）。さらに、検索部１９ａは、ノードテーブル１６ａから検索されたノードを探索リストへ登録する（ステップＳ１０６）。【０１１１】
そして、検索部１９ａは、探索リストに登録されたノードを１つ選択する（ステップＳ１０７）。続いて、検索部１９ａは、ブランチテーブル１６ｂに記憶されたブランチのうちステップＳ１０７で選択されたノードが含まれるノードＩＤの組合せ、すなわちノードＩＤ１及びノードＩＤ２の組合せを持つブランチのレコードを検索する（ステップＳ１０８）。【０１１２】
その上で、検索部１９ａは、ステップＳ１０８で検索されたブランチのレコードをカレントブランチテーブル１７ｂへ登録する（ステップＳ１０９）。さらに、検索部１９ａは、ステップＳ１０８で検索されたブランチを探索リストに登録する（ステップＳ１１０）。続いて、検索部１９ａは、探索リストに登録されたブランチを１つ選択する（ステップＳ１１１）。【０１１３】
そして、検索部１９ａは、図２４に示すように、スパンテーブル１５ｂからステップＳ１１１で選択されたブランチの設備ＩＤに対応する属性情報を検索する（ステップＳ１１２）。このとき、スパンテーブル１５ｂから属性情報を検索できなかった場合、すなわち属性情報がヒットしなかった場合（ステップＳ１１３Ｎｏ）には、検索部１９ａは、次のような処理を実行する。【０１１４】
すなわち、検索部１９ａは、ユニットテーブル１５ａからステップＳ１１１で選択されたブランチの設備ＩＤに対応する属性情報を検索する（ステップＳ１１４）。なお、スパンテーブル１５ｂから属性情報を検索できた場合（ステップＳ１１３Ｙｅｓ）には、ステップＳ１１４の処理をとばしてステップＳ１１５の処理へ移行する。【０１１５】
そして、対応付け部１９ｂは、カレントブランチテーブル１７ｂに記憶されたレコードのうちスパンテーブル１５ｂまたはユニットテーブル１５ａの検索に用いたブランチのレコードに対応付けて当該ブランチの属性情報を登録する（ステップＳ１１５）。【０１１６】
その後、検索部１９ａは、ステップＳ１０８で検索されたブランチが含むノードの組合せのうちステップＳ１０８で探索に用いられたノードとは対となる他方のノードがブランクであるか否かを判定する（ステップＳ１１６）。【０１１７】
このとき、他方のノードがブランクでない場合（ステップＳ１１６Ｙｅｓ）には、検索部１９ａは、当該ブランチが開閉器であるか否かをさらに判定する（ステップＳ１１７）。そして、ブランチが開閉器である場合（ステップＳ１１７Ｙｅｓ）には、検索部１９ａは、開閉器のスイッチが閉状態であるか否か、すなわち開閉器がＯＮ状態であるか否かをさらに判定する（ステップＳ１１８）。【０１１８】
ここで、開閉器がＯＮ状態である場合（ステップＳ１１８Ｙｅｓ）には、検索部１９ａは、ノードテーブル１６ａから他方のノードのレコードを検索した上で配電系統情報１７のカレントノードテーブル１７ａへ登録する（ステップＳ１１９）。さらに、検索部１９ａは、他方のノードを未探索のノードとして探索リストへ追加する（ステップＳ１２０）。【０１１９】
また、ブランチが開閉器でない場合（ステップＳ１１７Ｎｏ）にも、検索部１９ａは、ノードテーブル１６ａから他方のノードのレコードを検索した上で配電系統情報１７のカレントノードテーブル１７ａへ登録する（ステップＳ１１９）。さらに、検索部１９ａは、他方のノードを未探索のノードとして探索リストへ追加する（ステップＳ１２０）。【０１２０】
一方、他方のノードがブランクである場合もしくは開閉器がＯＦＦ状態である場合（ステップＳ１１６ＮｏまたはステップＳ１１８Ｎｏ）には、ステップＳ１２１の処理へ移行する。【０１２１】
その後、検索部１９ａは、探索リストに登録されたブランチを全て探索したか否かを判定する（ステップＳ１２１）。このとき、探索リストに登録されたブランチが全て探索されていない場合（ステップＳ１２１Ｎｏ）には、未探索のブランチが選択された後（ステップＳ１１１）、ステップＳ１１２〜ステップＳ１２０までの処理が繰り返し実行される。【０１２２】
そして、探索リストに登録されたブランチが全て探索されると（ステップＳ１２１Ｙｅｓ）、検索部１９ａは、探索リストに登録されたノードを全て探索したか否かを判定する（ステップＳ１２２）。このとき、探索リストに登録されたノードが全て探索されていない場合（ステップＳ１２２Ｎｏ）には、未探索のノードが選択された後（ステップＳ１０７）、ステップＳ１０８〜ステップＳ１２１までの処理が繰り返し実行される。【０１２３】
その後、探索リストに登録されたノードが全て探索されると（ステップＳ１２２Ｙｅｓ）、検索部１９ａは、探索リストに登録されたＳＳの位置ＩＤを全て探索したか否かを判定する（ステップＳ１２３）。このとき、探索リストに登録されたＳＳの位置ＩＤが全て探索されていない場合（ステップＳ１２３Ｎｏ）には、未探索のＳＳの位置ＩＤが選択された後（ステップＳ１０３）、ステップＳ１０４〜ステップＳ１２２までの処理が繰り返し実行される。【０１２４】
そして、探索リストに登録されたＳＳの位置ＩＤが全て探索された場合（ステップＳ１２３Ｙｅｓ）には、図２５に示すように、検索部１９ａは、ブランチテーブル１６ｂに記憶されたブランチのレコードと、カレントブランチテーブル１７ｂに記憶されたブランチのレコードとを突合する（ステップＳ１２４）。【０１２５】
ここで、ブランチテーブル１６ｂにカレントブランチテーブル１７ｂと一致しないブランチのレコードが存在する場合（ステップＳ１２５Ｙｅｓ）には、検索部１９ａは、当該ブランチのレコードに含まれる設備ＩＤの設備を停電箇所として検出し（ステップＳ１２６）、処理を終了する。一方、ブランチテーブル１６ｂにカレントブランチテーブル１７ｂと一致しないブランチのレコードが存在しない場合（ステップＳ１２５Ｎｏ）には、そのまま処理を終了する。【０１２６】
（２）配電系統画面の表示制御処理
図２６は、実施例１に係る配電系統画面の表示制御処理の手順を示すフローチャートである。この表示制御処理は、クライアント端末３０から配電系統画面の閲覧要求を受け付けた場合、クライアント端末３０から配電管理装置１０へのログイン処理等が成功した場合、あるいは前回の更新から所定の期間が経過した場合などに実行される。【０１２７】
図２６に示すように、算出部１９ｄは、ロードテーブル１８ａを用いて、配電系統別に変電所が持つカレントノードから負荷設備が持つカレントノードへ向けて各カレントノードにおける電圧を算出する（ステップＳ２０１）。【０１２８】
そして、表示制御部１９ｆは、ステップＳ２０１で算出された各カレントノードの電圧の算出結果を参照して、配電系統の設備のうち逆潮流が発生している設備、すなわち一次側よりも二次側の電圧の方が高い設備を抽出する（ステップＳ２０２）。続いて、検出部１９ｅは、ロードテーブル１８ａを用いて、事故や故障等の異常が発生しているブランチを検出する（ステップＳ２０３）。【０１２９】
その後、表示制御部１９ｆは、クライアント端末３０に表示させる配電系統画面の表示設定を取得する（ステップＳ２０４）。続いて、表示制御部１９ｆは、ロケーションテーブル１４ａから、地図の表示範囲に含まれる位置ＩＤを取得する（ステップＳ２０５）。【０１３０】
そして、表示制御部１９ｆは、ユニットテーブル１５ａから地図の表示範囲内にある位置ＩＤを持つユニットのレコードを取得するとともに、スパンテーブル１５ｂから地図の表示範囲内にある位置ＩＤを持つスパンのレコードを取得する（ステップＳ２０６及びステップＳ２０７）。【０１３１】
続いて、表示制御部１９ｆは、ユニット及びスパンのレコードのうちブランチテーブル１６ｂに設備ＩＤが登録されているレコードを抽出する（ステップＳ２０８）。これによって、ユニット及びスパンの中でも現系統に含まれるユニット及びスパンが抽出されることになる。【０１３２】
その上で、表示制御部１９ｆは、現系統に含まれるユニット及びスパン等の設備の位置ＩＤに対応する緯度及び経度等の位置情報を用いて、記憶部１３に記憶された地図情報から切り出された表示範囲の地図画像に各設備を配置することによって表示データを生成する（ステップＳ２０９）。【０１３３】
ここで、表示モードが「電圧表示モード」である場合（ステップＳ２１０Ｙｅｓ）には、表示制御部１９ｆは、現系統のユニット及びスパンのうちステップＳ２０２で抽出された逆潮流が発生している設備に電気の流れの向きを表す記号を付加する（ステップＳ２１１）。そして、表示制御部１９ｆは、各カレントノードの電圧の状態に応じて、負荷設備および配電系統の設備に異なる表示色を設定する（ステップＳ２１２）。その上で、表示制御部１９ｆは、ステップＳ２１１及びステップＳ２１２の処理が実行された配電系統画面の表示データをクライアント端末３０へ出力し（ステップＳ２１３）、処理を終了する。【０１３４】
一方、表示モードが「停電表示モード」である場合（ステップＳ２１０Ｎｏ）には、表示制御部１９ｆは、ステップＳ２０３で検出された異常ブランチ及び異常ブランチに連なる負荷設備を含む停電範囲の表示態様を変更する（ステップＳ２１４）。その上で、表示制御部１９ｆは、ステップＳ２１４の処理が実行された配電系統画面の表示データをクライアント端末３０へ出力し（ステップＳ２１３）、処理を終了する。【０１３５】
［実施例１の効果］
上述してきたように、本実施例に係る配電管理装置１０は、配電系統の設備を表示する場合に、需要家の負荷設備から配電系統の設備の方向へ逆潮流が発生している設備と他の設備との表示態様を区別して表示する。このため、本実施例に係る配電管理装置１０では、逆潮流が発生している設備を対象に逆潮流による電圧変動を考慮に入れて電線の工事や変圧器のタップ調整の工事を計画させることができる。したがって、本実施例に係る配電管理装置１０によれば、配電系統で電圧の許容範囲を超える電力が流れるのを抑制できる。
【実施例２】
【０１３６】
さて、これまで開示の装置に関する実施例について説明したが、本発明は上述した実施例以外にも、種々の異なる形態にて実施されてよいものである。そこで、以下では、本発明に含まれる他の実施例を説明する。【０１３７】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、検索部１９ａ、対応付け部１９ｂ、取得部１９ｃ、算出部１９ｄ、検出部１９ｅまたは表示制御部１９ｆを配電管理装置１０の外部装置としてネットワーク経由で接続するようにしてもよい。また、検索部１９ａ、対応付け部１９ｂ、取得部１９ｃ、算出部１９ｄ、検出部１９ｅまたは表示制御部１９ｆを別の装置がそれぞれ有し、ネットワーク接続されて協働することで、上記の配電管理装置１０の機能を実現するようにしてもよい。【０１３８】
［表示制御プログラム］
また、上記の実施例で説明した各種の処理は、予め用意されたプログラムをパーソナルコンピュータやワークステーションなどのコンピュータで実行することによって実現することができる。そこで、以下では、図２７を用いて、上記の実施例と同様の機能を有する表示制御プログラムを実行するコンピュータの一例について説明する。【０１３９】
図２７は、実施例１及び実施例２に係る表示制御プログラムを実行するコンピュータの一例について説明するための図である。図２７に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。【０１４０】
ＨＤＤ１７０には、図２７に示すように、上記の実施例１で示した検索部１９ａ、対応付け部１９ｂ、取得部１９ｃ、算出部１９ｄ、検出部１９ｅ及び表示制御部１９ｆと同様の機能を発揮する表示制御プログラム１７０ａが予め記憶される。この表示制御プログラム１７０ａについては、図１に示した各々の検索部１９ａ、対応付け部１９ｂ、取得部１９ｃ、算出部１９ｄ、検出部１９ｅ及び表示制御部１９ｆの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。【０１４１】
そして、ＣＰＵ１５０が、表示制御プログラム１７０ａをＨＤＤ１７０から読み出してＲＡＭ１８０に展開する。これによって、図２７に示すように、表示制御プログラム１７０ａは、表示制御プロセス１８０ａとして機能する。この表示制御プロセス１８０ａは、ＨＤＤ１７０から読み出した各種データを適宜ＲＡＭ１８０上の自身に割り当てられた領域に展開し、この展開した各種データに基づいて各種処理を実行する。なお、表示制御プロセス１８０ａは、図１に示した検索部１９ａ、対応付け部１９ｂ、取得部１９ｃ、算出部１９ｄ、検出部１９ｅ及び表示制御部１９ｆにて実行される処理、例えば図２３〜図２６に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。【０１４２】
なお、上記の表示制御プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【０１４３】
１０    配電管理装置
１１    通信Ｉ／Ｆ部
１３    記憶部
１４    位置情報
１４ａ  ロケーションテーブル
１５    設備情報
１５ａ  ユニットテーブル
１５ｂ  スパンテーブル
１６    電気接続情報
１６ａ  ノードテーブル
１６ｂ  ブランチテーブル
１７    配電系統情報
１７ａ  カレントノードテーブル
１７ｂ  カレントブランチテーブル
１８    負荷情報
１８ａ  ロードテーブル
１９    制御部
１９ａ  検索部
１９ｂ  対応付け部
１９ｃ  取得部
１９ｄ  算出部
１９ｅ  検出部
１９ｆ  表示制御部
３０    クライアント端末
５０    スマートメータ
【図１】
2014054110.tif 000003
【図２】
2014054110.tif 000004
【図３】
2014054110.tif 000005
【図４】
2014054110.tif 000006
【図５】
2014054110.tif 000007
【図６】
2014054110.tif 000008
【図７】
2014054110.tif 000009
【図８】
2014054110.tif 000010
【図９】
2014054110.tif 000011
【図１０】
2014054110.tif 000012
【図１１】
2014054110.tif 000013
【図１２】
2014054110.tif 000014
【図１３】
2014054110.tif 000015
【図１４】
2014054110.tif 000016
【図１５】
2014054110.tif 000017
【図１６】
2014054110.tif 000018
【図１７】
2014054110.tif 000019
【図１８】
2014054110.tif 000020
【図１９】
2014054110.tif 000021
【図２０】
2014054110.tif 000022
【図２１】
2014054110.tif 000023
【図２２】
2014054110.tif 000024
【図２３】
2014054110.tif 000025
【図２４】
2014054110.tif 000026
【図２５】
2014054110.tif 000027
【図２６】
2014054110.tif 000028
【図２７】
2014054110.tif 000029
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
配電系統からの配電を受ける需要家の負荷設備に接続された計量器から計量結果を取得する取得部と、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる表示制御部と
を有することを特徴とする配電管理装置。
【請求項２】
前記計量器の計量結果を用いて、各々の設備が接続される接続点の電圧を算出する算出部をさらに有し、
前記表示制御部は、各接続点の電圧の状態に応じて、前記負荷設備の表示態様または前記配電系統の設備の表示態様を区別して表示させることを特徴とする請求項１に記載の配電管理装置。
【請求項３】
前記表示制御部は、所定の許容範囲を逸脱する電圧が算出された接続点を持つ設備の表示態様を、前記許容範囲を逸脱しない設備の表示態様との間で区別して表示させることを特徴とする請求項２に記載の配電管理装置。
【請求項４】
前記表示制御部は、前記許容範囲内の電圧が算出された接続点を持つ設備のうち前記負荷設備から前記配電系統の設備の方向へ電気が流れる設備の警告を促す表示を実行することを特徴とする請求項３に記載の配電管理装置。
【請求項５】
前記計量器の計量結果を用いて、異常が発生している設備を検出する検出部をさらに有し、
前記表示制御部は、異常が検出された設備と異常が検出されていない設備との間で表示態様を区別して表示させることを特徴とする請求項１に記載の配電管理装置。
【請求項６】
前記表示制御部は、前記配電系統の設備または前記負荷設備と位置とが対応付けられた位置情報を参照して、前記配電系統の設備および前記負荷設備を前記配電系統の設備または前記負荷設備に対応する地図上の位置に表示させることを特徴とする請求項１に記載の配電管理装置。
【請求項７】
コンピュータが、
配電系統からの配電を受ける需要家の負荷設備に接続された計量器から計量結果を取得し、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる
処理を実行することを特徴とする表示制御方法。
【請求項８】
コンピュータに、
配電系統からの配電を受ける需要家の負荷設備に接続された計量器から計量結果を取得し、
前記計量器の計量結果を用いて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる
処理を実行させることを特徴とする表示制御プログラム。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
配電系統からの配電を受ける需要家の負荷設備に接続された計量器から計量結果を取得する取得部と、
前記計量器の計量結果を用いて、各々の設備が接続される接続点の電圧を算出する算出部と、
各接続点の電圧の状態に応じて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる表示制御部とを有し、
前記表示制御部は、所定の許容範囲を逸脱する電圧が算出された接続点を持つ設備の表示態様を、前記許容範囲を逸脱しない設備の表示態様との間で区別して表示させると共に、前記許容範囲内の電圧が算出された接続点を持つ設備のうち前記負荷設備から前記配電系統の設備の方向へ電気が流れる設備の警告を促す表示を実行することを特徴とする配電管理装置。
【請求項２】
前記計量器の計量結果を用いて、異常が発生している設備を検出する検出部をさらに有し、
前記表示制御部は、異常が検出された設備と異常が検出されていない設備との間で表示態様を区別して表示させることを特徴とする請求項１に記載の配電管理装置。
【請求項３】
前記表示制御部は、前記配電系統の設備または前記負荷設備と位置とが対応付けられた位置情報を参照して、前記配電系統の設備および前記負荷設備を前記配電系統の設備または前記負荷設備に対応する地図上の位置に表示させることを特徴とする請求項１に記載の配電管理装置。
【請求項４】
コンピュータが、
配電系統からの配電を受ける需要家の負荷設備に接続された計量器から計量結果を取得する処理と、
前記計量器の計量結果を用いて、各々の設備が接続される接続点の電圧を算出する処理と、
各接続点の電圧の状態に応じて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる処理とを実行し、
前記表示させる処理は、所定の許容範囲を逸脱する電圧が算出された接続点を持つ設備の表示態様を、前記許容範囲を逸脱しない設備の表示態様との間で区別して表示させると共に、前記許容範囲内の電圧が算出された接続点を持つ設備のうち前記負荷設備から前記配電系統の設備の方向へ電気が流れる設備の警告を促す表示を実行することを特徴とする表示制御方法。
【請求項５】
コンピュータに、
配電系統からの配電を受ける需要家の負荷設備に接続された計量器から計量結果を取得する処理と、
前記計量器の計量結果を用いて、各々の設備が接続される接続点の電圧を算出する処理と、
各接続点の電圧の状態に応じて、前記配電系統の設備のうち前記負荷設備から前記配電系統の設備の方向へ電気が流れる設備と前記配電系統の設備から前記負荷設備の方向へ電気が流れる設備との間で表示態様を区別して表示させる処理とを実行させ、
前記表示させる処理は、所定の許容範囲を逸脱する電圧が算出された接続点を持つ設備の表示態様を、前記許容範囲を逸脱しない設備の表示態様との間で区別して表示させると共に、前記許容範囲内の電圧が算出された接続点を持つ設備のうち前記負荷設備から前記配電系統の設備の方向へ電気が流れる設備の警告を促す表示を実行することを特徴とする表示制御プログラム。
【請求項６】
配電系統からの配電を受ける需要家の負荷設備に接続された計量器から計量結果を取得する取得部と、
前記配電系統の設備のうち隣接する２つの設備により定まる接続点に関する第１情報と、前記接続点の組合せにより定まる配電系統の設備に関する第２情報とを参照して、前記計量器に接続された負荷設備と当該負荷設備に隣接する設備との末端の接続点ごとに前記計量器から計数結果が所定期間内に取得されたか否かにより停電または通電の通電状態を設定する第１設定部と、
前記末端の接続点のうち前記通電状態に通電が設定された末端の接続点ごとに当該末端の接続点から順に二次側の接続点に連なる設備が一次側に持つ接続点に関する通電状態を通電に設定する第２設定部と、
前記末端の接続点のうち前記通電状態に停電が設定された末端の接続点ごとに当該末端の接続点から順に二次側の接続点に連なる設備が一次側に持つ接続点に関する通電状態を前記一次側の接続点の通電状態に通電が設定された接続点に達するまで停電に設定する第３設定部と、
一次側の接続点の通電状態に通電が設定されると共に二次側の接続点の通電状態に停電が設定された設備を異常発生箇所として検出する検出部と、
前記配電系統の設備のうち、前記異常発生箇所に対応する設備を他の設備の表示形態として区別して表示する表示制御部と
を有することを特徴とする配電管理装置。
【国際調査報告】
2014054110.tif 000030
2014054110.tif 000031
2014054110.tif 000032
2014054110.tif 000033